(57)【要約】【課題】制御部がＤＡＡの保護を解除する指示を適切なタイミングで行うことができる、通信装置を提供する。【解決手段】モデム２３は、レジスタ２１に書き込まれた電圧値が極性反転、又は、読み取った前後の電圧値の差が所定値以上、及び、呼出信号の検出の際、割込信号をＡＳＩＣ４１のＣＰＵ４０に送信する。ＣＰＵ４０は、電圧値が極性反転、読み取った前後の電圧値の差が所定値以上、又は、呼出信号の検出のいずれの割込要因なのかを決定し、その決定した割込要因に従ってＦＡＸ通信部３０の処理を実行させる。その処理が未完了となった場合、ＣＰＵ４０は、保護確認処理を実行して、モデム２３に対してＤＡＡ１３の保護部１６に接続するように指示し、回線電圧計測部１５のリセットを指示することで、適切なタイミングで保護部１６の保護の解除と回線電圧計測部１５のリセットを行う。【選択図】図２
2017216571.tif 000002
【特許請求の範囲】
【請求項１】
電話回線と接続可能な２つの端子を有する回線接続端子と、
前記回線接続端子の各端子と一対の接続線によって接続されるデータアクセスアレンジメント部、及び、前記データアクセスアレンジメント部と接続されるモデム部、を有する通信部と、
前記一対の接続線の少なくとも一方の接続線と大地とを接続する線上に設けられた第１サージ保護素子と、
制御部と、
を備え、
前記データアクセスアレンジメント部は、
前記一対の接続線間の電圧を計測する回線電圧計測部と、
前記一対の接続線に接続される呼出信号検出部と、
前記モデム部からの指示によって前記一対の接続線と前記呼出信号検出部との接続及び非接続を切り替える保護部と、
前記回線電圧計測部が計測した電圧値、及び、前記呼出信号検出部による呼出信号の検出結果が書き込まれるレジスタと、
を有し、
前記モデム部は、
前記レジスタを読み取り、読み取った前後での前記電圧値の極性反転、読み取った前後での前記電圧値の差が第１値以上、又は、呼出信号の検出、のいずれかの割込要因に応じて前記制御部に割込信号を出力し、かつ、読み取った前記電圧値が前記回線電圧計測部の計測範囲である第２値を超えた値であった場合、前記保護部に前記非接続にするように指示し、
前記制御部は、
前記割込信号が入力された場合に、前記モデム部にアクセスして前記割込信号が出力された割込要因を決定する割込要因決定処理と、
前記割込要因決定処理によって決定された前記割込要因に従って、前記通信部に対して前記割込要因毎の処理を実行させる割込要因実行処理と、
前記割込要因実行処理の前記決定された割込要因の処理が未完了であった場合、前記モデム部に対して前記保護部に前記非接続を指示しているか否かについて前記制御部への回答を指示する保護指示処理と、
前記保護指示処理によって、前記モデム部から前記保護部に非接続を指示しているという回答があった場合、前記モデム部に対して前記保護部に接続するように指示、及び、前記回線電圧計測部に対するリセットの指示を行う保護解除指示処理と、
を実行する、通信装置。
【請求項２】
請求項１に記載の通信装置であって、
前記データアクセスアレンジメント部は、更に、
前記モデム部からの指示によって前記一対の接続線間を閉結、又は、開放する閉結制御部と、
前記一対の接続線間から信号を受信する受信部と、
を有し、
前記制御部は、
前記割込要因実行処理において、
前記割込要因決定処理によって前記割込要因が前記極性反転と決定された場合、前記モデム部に対して前記閉結制御部の閉結を実行させ、
前記モデム部が前記受信部を介して発信者番号通知信号を受信した場合、所定の処理を前記通信部に実行させ、
前記保護指示処理において、
前記モデム部が前記受信部を介して第１所定時間を経過しても発信者番号通知信号を受信しない場合、前記制御部への前記回答を指示する、
通信装置。
【請求項３】
請求項２に記載の通信装置であって、
前記制御部は、
前記保護指示処理において、
前記モデム部が前記受信部を介して前記第１所定時間を経過しても発信者番号通知信号を受信せず、かつ、前記第１所定時間経過後、前記モデム部に対して前記閉結制御部の開放を指示し、前記呼出信号を検出できない場合、前記制御部への前記回答を指示する、
通信装置。
【請求項４】
請求項１に記載の通信装置であって、
更に、
記憶部、を備え、
前記制御部は、
更に、
前記モデム部に対して前記電圧値の応答を指示し、前記電圧値を前記記憶部に順次に記憶させる電圧記憶処理、
を実行し、
前記保護指示処理において、
前記割込要因決定処理によって前記割込要因が読み取った前後の前記電圧値の差が所定値以上と決定された場合であって、かつ、前記記憶部に記憶された前記割込信号入力後の前記電圧値が、前記記憶部に記憶された前記割込信号入力前の前記電圧値に対する所定割合の値以上であった場合、前記制御部への前記回答を指示する、
通信装置。
【請求項５】
請求項４記載の通信装置であって、
更に、
外付電話と接続可能な２つの端子を有する外付電話接続端子と、
表示部と、
を備え、
前記回線接続端子の各端子と前記データアクセスアレンジメント部との間の各接点と、前記外付電話接続端子の各端子と、がそれぞれ一対の第２接続線によって接続され、
前記割込信号入力前の前記電圧値に対する所定割合の値は、一対の接続線にかかる回線電圧から前記外付電話のオフフックに伴う電圧降下分の値であって、
前記制御部は、
前記割込要因実行処理において、
前記割込要因決定処理によって前記要因が前記読み取った前後の前記電圧値の差が所定値未満と決定された場合、前記表示部に情報を表示させ、
前記保護指示処理において、
前記割込要因決定処理によって前記要因が読み取った前後の前記電圧値の差が所定値以上と決定された場合、前記制御部への前記回答を指示する、
通信装置。
【請求項６】
請求項５に記載の通信装置を有する画像形成装置であって、
更に、
電源部と、
画像形成部と、
を備え、
前記通信部は、
前記モデム部から前記割込要因を特定した際に前記制御部に前記割込信号を出力する機能は維持するが、前記モデム部と前記制御部との信号のやり取りを不能にするモデムスリープモードを有し、
前記制御部は、
前記電源部から前記画像形成部及び前記通信部及び前記表示部に対して電力供給させる通常モード処理と、
前記通常モード処理開始時、前記割込信号の入力時、又は、前記通信部に対する送信命令時である、いずれかの時から所定時間の間、前記割込信号の入力又は前記送信命令が無い場合、前記電源部からの前記画像形成部及び前記表示部への電力供給を停止させ、
前記通信部を前記モデムスリープモードにするスリープモード処理と、
を実行し、
前記割込信号の入力に応じて前記スリープモード処理から前記通常モード処理へ切り替え、前記割込要因決定処理を行う、
画像形成装置。
【請求項７】
請求項６に記載の画像形成装置であって、
前記制御部は、
前記割込信号の入力に応じて前記スリープモード処理から前記通常モード処理へ切り替わった後、保護解除指示処理による指示が行われた場合、再び、前記スリープモード処理へ移行させる、
画像形成装置。
【請求項８】
電話回線と接続可能な２つの端子を有する回線接続端子と、
前記回線接続端子の各端子と一対の接続線によって接続されるデータアクセスアレンジメント部、及び、前記データアクセスアレンジメント部と接続されるモデム部、を有する通信部と、
前記一対の接続線の少なくとも一方の接続線と大地とを接続する線上に設けられ、透明なガラス管にガスが封入されているガスアレスタと、
前記一対の接続線との間を接続するサージ保護素子と、
前記ガスアレスタに面して設けられた光検知部と、
制御部と、
を備え、
前記データアクセスアレンジメント部は、
前記一対の接続線間の電圧を検出する回線電圧計測部と、
前記一対の接続線に接続される呼出信号検出部と、
前記モデム部からの指示によって前記一対の接続線と前記呼出信号検出部との接続を非接続及び非接続を切り替える保護部と、
前記回線電圧計測部が計測した電圧値、及び、前記呼出信号検出部の検出結果が書き込まれるレジスタと、
を有し、
前記モデム部は、
前記レジスタを読み取り、読み取った前後の前記電圧値の極性反転、読み取った前後の前記電圧値の差が所定値以上、又は、呼出信号の検出、のいずれかの割込要因に応じて前記制御部に割込信号を出力し、かつ、読み取った前記電圧値が前記回線電圧計測部の計測範囲を超えた値であった場合、前記保護部に前記非接続にするように指示し、
前記光検知部は、
光を検知した際、前記制御部に割込信号を出力し、
前記制御部は、
前記光検知部からの割込信号の入力から雷サージが入力される所要時間経過後、前記モデム部に対して前記保護部に非接続を指示しているか否かについて前記制御部への回答を指示する第２保護指示処理と、
前記第２保護指示処理によって、前記モデム部から前記保護部に非接続を指示しているという回答があった場合、前記モデム部に対して前記保護部に接続するように指示、及び、前記回線電圧計測部に対するリセットの指示を行う第２保護解除指示処理と、
を実行する、通信装置。
【発明の詳細な説明】
【技術分野】
【０００１】
本発明は、通信装置に関する。
【背景技術】
【０００２】
従来、一対の電話回線に接続されるＤＡＡ（データアクセスアレンジメント）と、ＤＡＡとトランスを介して絶縁された状態で接続され、データを変調および復調するモデム部とから構成される通信部を有する通信装置が知られている。
【０００３】
ＤＡＡは、一対の電話回線に加わる電圧値や外部からの呼出信号を検出したことをレジスタに書き込む。モデム部は、ＤＡＡのレジスタにアクセスすることにより、回線電圧値の変化時、又は、呼出信号の検出時に、制御部のＣＰＵに割込信号を出力する。ＣＰＵは、モデム部にアクセスして、回線電圧値の変化なのか、又は、呼出信号の検出なのかの割込要因を決定し、その決定された割込要因に従ってモデム部等を制御することにより、ファクシミリ受信を行う。
【０００４】
特許文献１の通信装置では、一対の電話回線を介して入力される雷サージから保護するために、一対の電話回線のそれぞれとアース（大地）との間に、ガスアレスタなどのサージ保護素子がそれぞれ設けられる。サージ保護素子は、一定電圧以上の電圧が加わることで短絡する。これにより、雷サージによる大電流がアースに流れ、通信装置が雷サージから保護される。
【０００５】
ところが、２個のサージ保護素子の動作タイミングが異なる場合があり、一対の電話回線間にＤＡＡの回線電圧計測部が計測不能な電圧変動が瞬間的に生じる場合がある。この場合、ＤＡＡのレジスタに電圧値として異常に大きな値が書き込まれるとともに、ＤＡＡの回線電圧計測部がフリーズする。モデム部は、ＤＡＡのレジスタに定期的にアクセスすることにより、一対の電話回線にかかった電圧が異常と認識し、ＤＡＡの呼出信号検出部と一対の電話回線との接続を遮断することで、ＤＡＡの保護を行う。
【０００６】
ＤＡＡの回線電圧計測部が正常な電圧値を計測することができ、正常な電圧値がレジスタに書き込まれれば、モデム部はＤＡＡの保護を解除するが、ＤＡＡの回線電圧計測部がフリーズしてしまうと、電話回線に加わる電圧値が異常な電圧値から正常な電圧値に戻っても、その正常な電圧値が回線電圧計測部によってレジスタに書き込まれないため、ＤＡＡの保護が解除されない。故に、従来の通信装置では、制御部のＣＰＵがモデム部にコマンドを定期的に出力し、モデム部がＤＡＡの保護状態を確認し、ＤＡＡに保護がかかっている場合には、通信部に初期化命令を出力して、ＤＡＡの保護を解除していた。
【先行技術文献】
【特許文献】
【０００７】
【特許文献１】特開２００１−１０９２５５号公報
【発明の概要】
【発明が解決しようとする課題】
【０００８】
しかし、ＤＡＡの保護を解除するために制御部のＣＰＵが通信部にコマンドを定期的に出力する方法では、ＤＡＡの保護が開始された時点からＣＰＵから通信部にコマンドが出力されるまでの間は、一対の電話回線とＤＡＡとが遮断されているため、外部から電話回線を介して送信される呼出信号をＤＡＡが受信することができない。すなわち、ＤＡＡの保護が開始された時点からＣＰＵから通信部にコマンドが出力されるまでの間、通信装置が外部からのファクシミリ受信を行うことができないという問題があった。
【０００９】
本発明の目的は、制御部がＤＡＡの保護を解除する指示を適切なタイミングで行うことができる、通信装置を提供することである。
【課題を解決するための手段】
【００１０】
前記の目的を達成するため、本発明の一の局面に係る通信装置は、電話回線と接続可能な２つの端子を有する回線接続端子と、前記回線接続端子の各端子と一対の接続線によって接続されるデータアクセスアレンジメント部、及び、前記データアクセスアレンジメント部と接続されるモデム部、を有する通信部と、前記一対の接続線の少なくとも一方の接続線と大地とを接続する線上に設けられた第１サージ保護素子と、制御部と、を備え、前記データアクセスアレンジメント部は、前記一対の接続線間の電圧を計測する回線電圧計測部と、前記一対の接続線に接続される呼出信号検出部と、前記モデム部からの指示によって前記一対の接続線と前記呼出信号検出部との接続及び非接続を切り替える保護部と、前記回線電圧計測部が計測した電圧値、及び、前記呼出信号検出部による呼出信号の検出結果が書き込まれるレジスタと、を有し、前記モデム部は、前記レジスタを読み取り、読み取った前後での前記電圧値の極性反転、読み取った前後での前記電圧値の差が第１値以上、又は、呼出信号の検出、のいずれかの割込要因に応じて前記制御部に割込信号を出力し、かつ、読み取った前記電圧値が前記回線電圧計測部の計測範囲である第２値を超えた値であった場合、前記保護部に前記非接続にするように指示し、前記制御部は、前記割込信号が入力された場合に、前記モデム部にアクセスして前記割込信号が出力された割込要因を決定する割込要因決定処理と、前記割込要因決定処理によって決定された前記割込要因に従って、前記通信部に対して前記割込要因毎の処理を実行させる割込要因実行処理と、前記割込要因実行処理の前記決定された割込要因の処理が未完了であった場合、前記モデム部に対して前記保護部に前記非接続を指示しているか否かについて前記制御部への回答を指示する保護指示処理と、前記保護指示処理によって、前記モデム部から前記保護部に非接続を指示しているという回答があった場合、前記モデム部に対して前記保護部に接続するように指示、及び、前記回線電圧計測部に対するリセットの指示を行う保護解除指示処理と、を実行する。
【００１１】
この構成によれば、モデム部は、レジスタに書き込まれた電圧値が極性反転、又は、読み取った前後の電圧値の差が所定値以上、呼出信号の検出の際、割込信号を制御部に送信する。雷サージが回線接続端子に入力された場合における回線電圧計測部が計測する電圧値は、電圧値の大きな変動であるため、雷サージが入力されない通常時の通信装置における電圧値の極性反転や電圧値の差が所定以上になることと区別がつかない。
【００１２】
制御部は、電圧値が極性反転、又は、読み取った前後の電圧値の差が所定値以上、呼出信号の検出のいずれの割込要因なのかを特定し、その特定された割込要因に従って通信部の処理を実行させる。その通信部の処理がなんらかの原因で未完了となった場合、割込要因が通常時の通信装置における電圧値の極性反転や電圧値の差ではなく、雷サージの入力による電圧変動である可能性がある。そこで、制御部は、モデム部に対して保護部に非接続を指示しているか否かについて回答するように指示する。
【００１３】
雷サージによる電圧変動は瞬間的なものであるため、回線電圧計測部がフリーズしていなければ、モデム部は一時的に保護部に保護を指示したとしてもすぐに保護を解除する。
【００１４】
しかし、一旦、回線電圧計測部がフリーズすると、保護部が保護した状態が維持されつづけることになる。制御部が割込要因実行処理を経てもなお、保護部が保護した状態であるというのは、回線電圧計測部がフリーズした状態であると考えられる。
【００１５】
そこで、本願の通信装置では、モデム部に対して保護部に接続するように指示し、回線電圧計測部をリセットすることで、適切なタイミングで保護部の保護の解除と回線電圧計測部のリセットを行うことができる。
【００１６】
本発明の他の局面に係る通信装置は、電話回線と接続可能な２つの端子を有する回線接続端子と、前記回線接続端子の各端子と一対の接続線によって接続されるデータアクセスアレンジメント部、及び、前記データアクセスアレンジメント部と接続されるモデム部、を有する通信部と、前記一対の接続線の少なくとも一方の接続線と大地とを接続する線上に設けられ、透明なガラス管にガスが封入されているガスアレスタと、前記一対の接続線との間を接続するサージ保護素子と、前記ガスアレスタに面して設けられた光検知部と、制御部と、を備え、前記データアクセスアレンジメント部は、前記一対の接続線間の電圧を検出する回線電圧計測部と、前記一対の接続線に接続される呼出信号検出部と、前記モデム部からの指示によって前記一対の接続線と前記呼出信号検出部との接続を非接続及び非接続を切り替える保護部と、前記回線電圧計測部が計測した電圧値、及び、前記呼出信号検出部の検出結果が書き込まれるレジスタと、を有し、前記モデム部は、前記レジスタを読み取り、読み取った前後の前記電圧値の極性反転、読み取った前後の前記電圧値の差が所定値以上、又は、呼出信号の検出、のいずれかの割込要因に応じて前記制御部に割込信号を出力し、かつ、読み取った前記電圧値が前記回線電圧計測部の計測範囲を超えた値であった場合、前記保護部に前記非接続にするように指示し、前記光検知部は、光を検知した際、前記制御部に割込信号を出力し、前記制御部は、前記光検知部からの割込信号の入力から雷サージが入力される所要時間経過後、前記モデム部に対して前記保護部に非接続を指示しているか否かについて前記制御部への回答を指示する第２保護指示処理と、前記第２保護指示処理によって、前記モデム部から前記保護部に非接続を指示しているという回答があった場合、前記モデム部に対して前記保護部に接続するように指示、及び、前記回線電圧計測部に対するリセットの指示を行う第２保護解除指示処理と、を実行する。
【００１７】
この構成によれば、一対の接続線の少なくとも１つの接続線に対して、接続線と大地とを接続する線上に設けられ、透明なガラス管にガスが封入されているガスアレスタと、ガスアレスタに面して設けられた光検知部と、が設けられている。雷サージが回線接続端子を介して入力されると、ガスアレスタに充填されているガスが絶縁破壊を起こして短絡することで、雷サージが大地に流れる。その際、ガスアレスタに充填されているガスが発光し、その発光されたガスを光検知部が検知する。光検知部は光を検知すると、制御部に割込信号を出力する。
【００１８】
制御部は、光検知部からの割込信号の入力から、雷サージが入力される所要時間経過後になっても保護部が保護している場合、保護を解除する必要がある。そこで、制御部は、第２保護解除指示処理において、モデム部から保護部に非接続を指示しているという回答があった場合、モデム部に対して保護部に接続するように指示、及び、回線電圧計測部に対するリセットの指示を行うことで、適切なタイミングで保護部の保護を解除することができる。
【発明の効果】
【００１９】
本発明によれば、制御部がＤＡＡの保護を解除する指示を適切なタイミングで行うことができる。
【図面の簡単な説明】
【００２０】
【図１】本発明の一実施形態に係るＭＦＰの電気的構成を示すブロック図である。
【図２】ＦＡＸ通信部の具体的構成を示すブロック図である。
【図３】雷サージによりサージ保護素子の端子間に生じる電圧差について説明するための図である。
【図４】メインフローチャートである。
【図５】回線電圧記憶処理の流れを示すフローチャートである。
【図６】第１割込処理の流れを示すフローチャートである。
【図７】発信者番号通知処理の流れを示すフローチャートである。
【図８】電圧変動検知処理の流れを示すフローチャートである。
【図９】保護確認処理の流れを示すフローチャートである。
【図１０】第２割込処理の流れを示すフローチャートである。
【図１１】本発明の第２実施形態に係るＭＦＰの構成（ＦＡＸ通信部の具体的構成）を示すブロック図である。
【発明を実施するための形態】
【００２１】
以下では、本発明の実施の形態について、添付図面を参照しつつ詳細に説明する。
【００２２】
＜１．内部構成＞
ＭＦＰ１（Ｍｕｌｔｉ−Ｆｕｎｃｔｉｏｎ  Ｐｅｒｉｐｈｅｒａｌ：通信装置の一例）は、図１に示されるように、ＦＡＸ通信部３０と、ＬＡＮインターフェイス３２と、ＵＳＢインターフェイス３３と、電源部３４と、ＡＳＩＣ４１と、ＲＯＭ５１と、ＲＡＭ５２と、画像形成部５３と、画像読取部５４と、操作部５５と、表示部５６とを備える。
【００２３】
ＦＡＸ通信部３０は、回線接続端子１１（回線接続端子の一例）と外付電話接続端子１２（外付電話接続端子の一例）とに接続される。回線接続端子１１には、電話回線６０（図２参照）が接続される。ＦＡＸ通信部３０は、電話回線６０（図２参照）を介して接続される交換機を介して、相手先のファックス装置からＦＡＸ画像データを受信、又は、相手先のファックス装置に対してＦＡＸ画像データを送信することが可能となる。
【００２４】
また、外付電話接続端子１２には、外付電話６１（図２参照）が接続される。外付電話６１は、電話回線６０を介して接続される交換機を介して、相手先の電話機と音声信号のやり取りを行うことができる。
【００２５】
ＬＡＮインターフェイス（ＬＡＮ  Ｉ／Ｆ）３２は、ＬＡＮケーブルを接続可能な端子（不図示）を備え、その端子を介してコンピュータ等を含むＬＡＮに接続される。ＬＡＮで接続されたコンピュータとの間で、ＬＡＮインターフェイス３２は、画像データや制御命令等を送受信する。
【００２６】
ＵＳＢインターフェイス（ＵＳＢ  Ｉ／Ｆ）３３は、ＵＳＢ端子（不図示）を備え、そのＵＳＢ端子を介してコンピュータや、記憶デバイスとして機能するＵＳＢメモリに接続される。そして、ＵＳＢインターフェイス３３は、ＵＳＢ端子に接続されたコンピュータやＵＳＢメモリとの間で、画像データや制御命令等を送受信する。
【００２７】
電源部３４は、商用電源に接続可能であって、当該電源から供給される電力を、ＦＡＸ通信部３０や画像形成部５３やＡＳＩＣ４１といった各部のそれぞれに適合する電力に変換し、供給する。
【００２８】
ＡＳＩＣ４１は、ＣＰＵ４０を内蔵している。ＣＰＵ４０は、ＡＳＩＣ４１に入力される情報に基づいて、各種の処理のためのプログラムを実行する。そして、ＣＰＵ４０は、画像形成部５３（画像処理部の一例）、画像読取部５４（画像処理部の一例）、表示部５６（表示部の一例）、ＦＡＸ通信部３０（通信部の一例）等を制御する。
【００２９】
特に、ＣＰＵ４０は、電源部３４に対して、画像形成部５３、画像読取部５４、表示部５６、ＦＡＸ通信部３０、ＬＡＮインターフェイス３２等の各部への電力供給を停止するように指示することができる。
【００３０】
ＲＯＭ５１には、ＣＰＵ４０によって実行されるプログラム及び各種のデータなどが記憶されている。ＲＡＭ５２（記憶部の一例）は、ＣＰＵ４０がプログラムを実行する際のワークエリアとして使用され、また、ＦＡＸ通信部３０やＬＡＮインターフェイス３２が受信した画像データが記憶される。
【００３１】
画像形成部５３は、ＲＡＭ５２やＵＳＢ端子に接続されたＵＳＢメモリに記憶された画像データに対して印刷（カラー印刷又はモノクロ印刷）を実行し、シートに画像を形成する。画像形成の方式は、電子写真方式であってもよいし、インクジェット方式であってもよい。画像形成部５３は、ＦＡＸ通信部３０が受信した画像データをシートに画像形成することができる。
【００３２】
画像読取部５４は、シートに形成された画像をシートから読み取り、画像データとしてＲＡＭ５２に記憶させる。ＣＩＳ（Ｃｏｎｔａｃｔ  Ｉｍａｇｅ  Ｓｅｎｓｏｒ）方式で原稿シートを読み取るように構成されている。
【００３３】
操作部５５は、各種の操作ボタンからなる。操作ボタンの押操作により、各種の入力が可能である。操作ボタンには、例えば、各種の指示（例えば、画像処理の開始指示）を確定するためのＯＫボタン、各種の指示をキャンセルするためのキャンセルボタン、選択するための十字ボタン、数字や文字を入力するためのテンキーなどが含まれる。また、操作ボタンには、ＭＦＰ１の省電力モードを通常モードに切り替えるためのボタン及び各省電力モードに切り替えるためのボタンが含まれる。操作部５５からの各種の操作ボタンの操作がＡＳＩＣ４１に入力され、ＡＳＩＣ４１は、入力された情報に応じて、各部を制御する。
【００３４】
表示部５６は、例えば、液晶表示器からなる。
【００３５】
＜２．ＦＡＸ通信部の詳細な構成＞
図２を用いて、回線接続端子１１、外付電話接続端子１２、ＦＡＸ通信部３０の詳細な構成、ＦＡＸ通信部３０とＡＳＩＣ４１との関係ついて説明する。
【００３６】
図２には、ＦＡＸ通信部３０が、回線接続端子１１及び外付電話接続端子１２とのそれぞれ接続、及び、サージ保護素子Ｚ１（第１サージ保護素子の一例）、サージ保護素子Ｚ２（第２サージ保護素子の一例）が示されている。また、ＦＡＸ通信部３０（通信部の一例）は、ＤＣループ２０と、データアクセスアレンジメント１３（以降、「ＤＡＡ１３」と称する。データアクセスアレンジメント部の一例）と、トランス１４と、モデム２３（モデム部の一例）とからなる。
【００３７】
（１）  回線接続端子
回線接続端子１１（１１Ａ，１１Ｂ）は、ＭＦＰ１をケーブルである電話回線６０に接続可能に設けられた２つの端子であってモジュラジャックである。回線接続端子１１Ａ，１１Ｂは、それぞれ通電経路Ｌａ，Ｌｂが接続されている。通電経路Ｌａの一端は回線接続端子１１Ａに接続され、通電経路Ｌａの他端は後述するＤＡＡ１３に接続される。
【００３８】
（２）  外付電話接続端子
外付電話接続端子１２（１２Ａ，１２Ｂ）は、外付電話６１を接続可能に設けられたＥＸＴ端子である。外付電話接続端子１２Ｂは、接点Ｎ５を介して通電経路Ｌａに接続されている。外付電話接続端子１２Ａは、接点Ｎ６を介して通電経路Ｌｂに接続されている。
【００３９】
外付電話６１がＭＦＰ１に接続されている状態で、外付電話６１自体が通電経路Ｌａ，Ｌｂとの接続を遮断しており、外付電話６１と電話回線６０を介して接続される交換機との間で閉回路が形成されていない。そして、ユーザが外付電話６１の受話器をフックアップすると、外付電話６１と電話回線６０を介して接続される交換機との間で閉回路が形成される。すると、外付電話６１は、ＭＦＰ１と交換機とを介して接続される相手先の電話機と音声信号のやり取りをすることができる。
【００４０】
（３）  ＤＣループ
ＤＣループ２０は、通電経路Ｌａ上の接点Ｎ１と、通電経路Ｌｂ上の接点Ｎ２とにそれぞれ接続されている。ＤＣループ２０は、後述する閉結制御部１９（閉結制御部の一例）からの指示によってＤＣループ２０内のスイッチをオンオフする。ＤＣループ２０は、ＤＣループ２０内のスイッチ（不図示）がオンの場合、電話回線６０を介して接続される交換機との間で閉回路が形成され、ＤＣループ２０内のスイッチがオフの場合、閉回路が形成されない。
【００４１】
（４）  データアクセスアレンジメント
ＤＡＡ１３は、回線電圧計測部１５（回線電圧計測部の一例）と、呼出信号検出部２２（呼出信号検出部の一例）と、受信部１７と、送信部１８と、閉結制御部１９（閉結制御部の一例）と、レジスタ２１（レジスタの一例）と、保護部１６（保護部の一例）とからなる。
【００４２】
（５）  閉結制御部
閉結制御部１９は、モデム２３からの指示を、トランス１４を介して受け、その指示に基づいてＤＣループ２０内のスイッチをオンオフする。
【００４３】
（６）  呼出信号検出部
ＭＦＰ１はファクシミリ受信する際、交換機が出力する回線電圧に変動成分を重畳させた信号である呼出信号を、呼出信号検出部２２を用いて検出する。呼出信号検出部２２が呼出信号を受信する際は、ＤＣループ２０内のスイッチがオフの場合、すなわち、閉回路が形成されない状態で検出する。
【００４４】
交換機は、呼出信号における通信の規格として定められた所定の間隔の間、回線電圧に変動成分を重畳させた信号を出力し、その後、通信の規格で定められた所定の間隔の間、一定の回線電圧を維持し、再び、所定の間隔の間、回線電圧に変動成分を重畳させた信号を出力する。
【００４５】
呼出信号検出部２２は、交換機から回線電圧に変動成分を重畳させた信号である呼出信号を受け取ると、変動成分を抽出する。そして、呼出信号検出部２２は、抽出された変動成分を２値化し、立下りから次の立下りまでの間隔である周期を検出する。そして、呼出信号検出部２２が検出した周期が、予め通信の規格として定められた呼出信号の周期と一致するか否かを決定する。呼出信号検出部２２は、検出した周期が一致する場合は、レジスタ２１に呼出信号を検出したことを書き込む。
【００４６】
（７）  受信部、送信部
受信部１７は、呼出信号を除く発信者番号通知信号や相手先のファックス装置から送信されるＦＡＸ画像データ等の各種ＦＡＸ信号は、ＤＣループ２０内のスイッチがオンの状態、すなわち、交換機との間で閉回路が形成されている場合に、受信部１７が受信することができる。
【００４７】
また、送信部１８は、ＵＳＢインターフェイス３３を介して接続されるＵＳＢメモリや画像読取部５４に読み取られた画像データを、モデム２３、トランス１４を介して送信することができる。
【００４８】
（８）  回線電圧計測部
回線電圧計測部１５は、回線接続端子１１Ａ，１１Ｂ間の電圧値を計測し、その計測した電圧値をレジスタ２１に書き込む。回線接続端子１１Ａ，１１Ｂに電話回線６０が接続されている場合であって、ＤＣループ２０内のスイッチがオフの場合（閉回路が形成されない）、回線電圧計測部１５は、回線電圧（例えば、４８Ｖ）を検出し、レジスタ２１にその検出した電圧値を書き込む。
【００４９】
交換機は、回線接続端子１１Ａ（１１Ｂ）側をゼロ基準、回線接続端子１１Ｂ（１１Ａ）側を４８Ｖ、印加されるように一定の回線電圧を印加している。また、交換機は呼出信号を出力する前に、発信者番号通知信号を送信する為に、まず、回線電圧の極性反転を行うことがある。
【００５０】
回線電圧の極性反転とは、回線接続端子１１Ａ（１１Ｂ）側をゼロ基準から回線接続端子１１Ｂ（１１Ａ）側をゼロ基準とし、かつ、回線接続端子１１Ｂ（１１Ａ）側を４８Ｖから回線接続端子１１Ａ（１１Ｂ）側を４８Ｖとすることである。回線電圧計測部１５は、−４８Ｖを検出し、レジスタ２１にその検出した電圧値を書き込む。
【００５１】
回線接続端子１１Ａ，１１Ｂに電話回線６０が接続されている場合であって、ＤＣループ２０内のスイッチがオンの場合（閉回路が形成）、ＤＣループ２０と通電経路Ｌａ，Ｌｂとによって形成される閉回路に電流が流れる。
【００５２】
すると、通電経路Ｌａ，Ｌｂ、ＤＣループ２０が有する抵抗成分によって電圧降下が生じ、回線接続端子１１Ａ，１１Ｂの各端子間の電圧値は、回線電圧より低い電圧となる。回線電圧計測部１５は、レジスタ２１にその検出した電圧値を書き込む。
【００５３】
また、ＤＣループ２０内のスイッチがオフの場合（閉回路が形成されない）であっても、上述のように、ユーザが外付電話６１の受話器をフックアップすると、外付電話６１と電話回線６０を介して接続される交換機との間で閉回路が形成されるため、外付電話６１と電話回線６０との間の通電経路Ｌａ，Ｌｂに電流が流れることで、外付電話６１と通電経路Ｌａ，Ｌｂが有する抵抗成分によって電圧降下が生じ、回線接続端子１１Ａ，１１Ｂの各端子間の電圧値は、回線電圧より低い電圧となる。回線電圧計測部１５は、レジスタ２１にその検出した電圧値を書き込む。
【００５４】
また、回線電圧計測部１５は、回線電圧に変動成分を重畳した呼出信号の最大電圧値を検出することは可能であるが、それ以上の電圧値は検出することができない。故に、回線電圧計測部１５は、例えば、後述する縦サージに基づく大きな電圧（縦サージそのものではない）によって、測定可能な電圧値を超えるオーバーフローの値を検出すると、オーバーフローの値である旨をレジスタ２１に書き込むことになる。また、回線電圧計測部１５は、オーバーフローの値を検出することで、以後、動作が停止し、結果として回線接続端子１１Ａ，１１Ｂ間の電圧を検出することができない、フリーズ状態となる場合がある。
【００５５】
（９）  保護部
接点Ｎ３（回線接続端子１１Ａと呼出信号検出部２２との間である）と呼出信号検出部２２との間に、保護部１６Ａが設けられている。また、接点Ｎ４（回線接続端子１１Ｂと呼出信号検出部２２との間である）と呼出信号検出部２２との間に、保護部１６Ｂが設けられている。
【００５６】
保護部１６Ａ，１６Ｂは、接点Ｎ３と呼出信号検出部２２との間、接点Ｎ４と呼出信号検出部２２との間を通常、それぞれ接続している。呼出信号検出部２２が呼出信号を検出可能な状態としている。
【００５７】
一方、保護部１６Ａは、モデム２３のＣＰＵ２４からの接点Ｎ３と呼出信号検出部２２との間を接続、非接続とする指示を、トランス１４を介して受け取ることが可能である。保護部１６Ａは、接点Ｎ３と呼出信号検出部２２との間を非接続にする指示を受け取ると、接点Ｎ３と呼出信号検出部２２との間を非接続にする。
【００５８】
また、保護部１６Ａは、接点Ｎ３と呼出信号検出部２２との間を接続にする指示を受け取ると、接点Ｎ３と呼出信号検出部２２との間を非接続の状態から接続の状態に切り換える。
【００５９】
同様に、保護部１６Ｂは、モデム２３のＣＰＵ２４からの接点Ｎ４と呼出信号検出部２２との間を非接続とする指示を、トランス１４を介して受け取ることが可能である。保護部１６Ｂは、接点Ｎ４と呼出信号検出部２２との間を非接続とする指示を受け取ると、接点Ｎ４と呼出信号検出部２２との間を非接続にする。
【００６０】
また、保護部１６Ｂは、接点Ｎ４と呼出信号検出部２２との間を接続とする指示を受け取ると、接点Ｎ４と呼出信号検出部２２との間を非接続の状態から接続の状態に切り換える。
【００６１】
接点Ｎ３と呼出信号検出部２２との間、接点Ｎ４と呼出信号検出部２２との間がそれぞれ非接続であると、呼出信号検出部２２は、呼出信号を検出不可能な状態となる。接点Ｎ３と呼出信号検出部２２との間、接点Ｎ４と呼出信号検出部２２との間を、それぞれ非接続することで、電話回線６０、通電経路Ｌａ，Ｌｂを介して入力される後述する縦サージに基づく大きな電圧変動から呼出信号検出部２２を保護する。
【００６２】
（１０）  モデム
モデム２３は、トランス１４を介してＤＡＡ１３に接続されている。トランス１４は、絶縁状態を保持しつつモデム２３とＤＡＡ１３とで情報をやり取りする回路である。
【００６３】
モデム２３は、トランス１４から送られるアナログ信号をデジタル信号に変換しＡＳＩＣ４１に出力、又は、ＡＳＩＣ４１から送られるデジタル信号をアナログ信号に変換しトランス１４に出力することで、信号の変復調を行う回路である。
【００６４】
また、モデム２３は、ＣＰＵ２４とレジスタ２５とを有している。モデム２３のＣＰＵ２４は、ＤＡＡ１３のレジスタ２１を、トランス１４を介して常に監視している。そして、モデム２３のＣＰＵ２４は、レジスタ２１に書き込まれた電圧値を定期的に読み取る。モデム２３のＣＰＵ２４は、電圧値の極性反転であれば、ＩＮＴ１（ＰＯＬ）をレジスタ２５に書き込む。モデム２３のＣＰＵ２４は、所定値以上の電圧値の変化であれば、ＩＮＴ３をレジスタ２５に書き込む。
【００６５】
モデム２３のＣＰＵ２４は、レジスタ２１に呼出信号を検出したことが書き込まれたことを検出すれば、ＩＮＴ２（ＲＩＮＧ）をレジスタ２５に書き込む。モデム２３のＣＰＵ２４は、ＩＮＴ１（ＰＯＬ）、ＩＮＴ２（ＲＩＮＧ）、ＩＮＴ３をレジスタ２５に書き込むと同時に、ＡＳＩＣ４１に対してオン信号である割込信号を出力する。
【００６６】
ＡＳＩＣ４１のＣＰＵ４０は、割込信号を受け取ると、モデム２３のレジスタ２５にＲＥＡＤコマンドを送信し、モデム２３からの応答によってＩＮＴ１（ＰＯＬ）、ＩＮＴ２（ＲＩＮＧ）、ＩＮＴ３のうち、いずれの割込要因であるかを決定する。なお、ＡＳＩＣ４１のＣＰＵ４０が行う割込要因の決定処理については、図６の第１割込処理、図１０の第２割込処理にて後述する。
【００６７】
ＡＳＩＣ４１のＣＰＵ４０は、通常モードの際、モデム２３に電圧値を応答するように指示し、モデム２３から応答のあった電圧値をＲＡＭ５２に書き込む作業を定期的に行う。なお、ＡＳＩＣ４１のＣＰＵ４０が行う回線電圧記憶処理は、図５の回線電圧記憶処理にて後述する。
【００６８】
モデム２３のＣＰＵ２４は、レジスタ２１に書き込まれた電圧値を定期的に読み取っている際に、読み取った電圧値がオーバーフローした値が書き込まれていた場合、保護部１６Ａ、保護部１６Ｂに対して、接点Ｎ３と呼出信号検出部２２との間、接点Ｎ４と呼出信号検出部２２との間を、それぞれ非接続するように指示する。
【００６９】
（１０−２）  モデム２３の省電力モード
次に、ＦＡＸ通信部の省電力モードにおけるモデム２３の動作について説明する。
【００７０】
ＦＡＸ通信部３０のモデム２３は、ＣＰＵ４０から省電力モード移行指示を受けると、受信部１７、送信部１８、閉結制御部１９に対して停止するように指示する。また、ＦＡＸ通信部３０のモデム２３は、モデム２３自身が駆動するクロック周波数を通常モードのクロック周波数より低下させ、かつ、ＡＳＩＣ４１のＣＰＵ４０からの信号のやり取りを遮断する省電力モードに移行する。
【００７１】
ＦＡＸ通信部３０の省電力モードでは、回線電圧計測部１５、呼出信号検出部２２、レジスタ２１は駆動している。ＦＡＸ通信部３０の省電力モードであっても、呼出信号検出部２２は相手先装置からの呼出信号を受けることが可能であって、モデム２３もＡＳＩＣ４１に割込信号を出力することが可能となっている。
【００７２】
また、省電力モード時のＦＡＸ通信部３０は、ＡＳＩＣ４１に割込信号を出力すると、自ら省電力モードから通常モードへ移行する。すなわち、ＦＡＸ通信部３０は、モデム２３自身が駆動するクロック周波数を省電力モードのクロック周波数から通常モードのクロック周波数に変更し、かつ、ＡＳＩＣ４１のＣＰＵ４０からの信号のやり取りを遮断から可能にする。
【００７３】
（１１）  サージ保護素子
サージ保護素子Ｚ１、サージ保護素子Ｚ２は、電話回線６０を介して進入してくる瞬間的に例えば１万Ｖ以上の高い電圧である雷サージ（縦サージ）からＭＦＰ１を保護している。サージ保護素子Ｚ１，Ｚ２は、例えば、透明なガラス管にガスが封入されているガスアレスタが用いられる。
【００７４】
図２においては、サージ保護素子Ｚ１（第１サージ保護素子の一例）は、回線接続端子１１ＡとＤＡＡ１３との間の通電経路Ｌａ上の接点Ｎ９とグランドＧＮＤ（大地の一例）との間に設けられる。また、図２においては、サージ保護素子Ｚ２（第２サージ保護素子の一例）は、回線接続端子１１ＡとＤＡＡ１３との間の通電経路Ｌａ上の接点Ｎ７と回線接続端子１１ＢとＤＡＡ１３との間の通電経路Ｌｂ上の接点Ｎ８との間に設けられる。
【００７５】
サージ保護素子Ｚ１は、グランドＧＮＤと接点Ｎ９との間に、サージ保護素子Ｚ１の動作電圧３０００Ｖを超える電圧が加わると、短絡する。サージ保護素子Ｚ２は、接点Ｎ７と接点Ｎ８との間に、サージ保護素子Ｚ２の動作電圧３００Ｖを超える電圧が加わると短絡する。
【００７６】
電話回線６０を介して回線接続端子１１Ａ，１１Ｂに進入してくる雷サージは、図３（Ａ）に示すように同電圧、同位相である。雷サージからＭＦＰ１を保護するためには、（イ）図２のようにサージ保護素子Ｚ１、サージ保護素子Ｚ２を設けるか、又は、（ロ）グランドＧＮＤと通電経路Ｌａとの間、グランドＧＮＤと通電経路Ｌｂとの間、にそれぞれサージ保護素子Ｚ１を設ける、（イ）（ロ）のいずれかのようにサージ保護素子Ｚ１を設ける必要がある。
【００７７】
図３（Ｂ）、図３（Ｃ）には、サージ保護素子Ｚ１、サージ保護素子Ｚ２のそれぞれの動作応答時間ＺＴ１、ＺＴ２がそれぞれ示されている。動作応答時間ＺＴ１、ＺＴ２とは、雷サージが進入してからサージ保護素子Ｚ１、Ｚ２が短絡するまでに要する時間を意味する。
【００７８】
サージ保護素子Ｚ１は、グランドＧＮＤと接点Ｎ９との間に、雷サージによる異常電圧が加わると、サージ保護素子Ｚ１は短絡し、グランドＧＮＤと接点Ｎ９の間を接続する。そして、回線接続端子１１Ａから動作応答時間ＺＴ１において大電流がグランドＧＮＤに流れる。
【００７９】
サージ保護素子Ｚ２は、グランドＧＮＤと接点Ｎ８との間に、雷サージによる異常電圧が加わると、まず、サージ保護素子Ｚ２が短絡し、その後、サージ保護素子Ｚ１が短絡する。回線接続端子１１Ｂからサージ保護素子Ｚ２、サージ保護素子Ｚ１を経由して大電流が、動作応答時間ＺＴ２においてグランドＧＮＤに流れる。
【００８０】
上記のような流れでサージ保護素子Ｚ１、サージ保護素子Ｚ２は、雷サージからＭＦＰ１を保護しているが、動作応答時間ＺＴ１、動作応答時間ＺＴ２に差が生じるため、図３（Ｄ）に示すような瞬間的な電圧差ΔＶが生じる。
【００８１】
この瞬間的なΔＶは、雷サージの１万Ｖのような大きな電圧ではなく３０００Ｖ程度ですが、回線電圧計測部１５で計測する範囲を超える大きな電圧であるため、回線電圧計測部１５が動作停止を起こす要因となる。
【００８２】
図２においては、一例として（イ）の場合を説明したが、（ロ）グランドＧＮＤと通電経路Ｌａとの間、グランドＧＮＤと通電経路Ｌｂとの間、にそれぞれサージ保護素子Ｚ１を設けたとしても、瞬間的な電圧差ΔＶが生じる。
【００８３】
それは、同じ動作電圧３０００Ｖのサージ保護素子Ｚ１をそれぞれ設けたとしても、サージ保護素子Ｚ１が全く同じ部品ではないため、どうしても動作応答時間に差が生じる。そして、（ロ）の場合であっても、図３（Ｄ）に示すような瞬間的な電圧差ΔＶが生じる。
【００８４】
図３（Ｄ）に示すような瞬間的な電圧差ΔＶの生じかたは、様々であり、図３（Ｄ）に限定されるものではない。例えば、雷サージの入力の仕方によっては、図３（Ｄ）の入力の仕方が反転することもあり、回線電圧の極性反転と区別することができない。故に、雷サージが回線接続端子１１に入力された場合における回線電圧計測部１５が計測する電圧値は、電圧値の大きな変動であるため、雷サージが入力されない通常時の電圧値の極性反転や電圧値の差が所定以上になることと区別がつかない。
【００８５】
＜３．メインフローチャート＞
ＣＰＵ４０は、図４に示されるメインフローチャートを実行する。
【００８６】
ＣＰＵ４０は、電源部３４に対して、ＬＡＮ  Ｉ／Ｆ部３２、ＵＳＢ  Ｉ／Ｆ部３３、ＦＡＸ通信部３０、画像形成部５３、画像読取部５４、操作部５５、表示部５６である各部へ電力供給を指示する（Ｓ１０）。
【００８７】
この指示により、ＭＦＰ１の通常モードが開始となる。ＭＦＰ１の通常モードとは、ＬＡＮ  Ｉ／Ｆ部３２、ＵＳＢ  Ｉ／Ｆ部３３、ＦＡＸ通信部３０、画像形成部５３、画像読取部５４、操作部５５、表示部５６に対して電源部３４からの電力が供給されていることを意味する。
【００８８】
ＣＰＵ４０は、ＡＳＩＣ４１の内部回路を用いて、時間の計測を開始する（Ｓ１５）。ＣＰＵ４０は、後述する回線電圧記憶処理（図５）を開始（Ｓ１８）する。回線電圧記憶処理により、電圧値Ｖ１が定期的にＲＡＭ５２に記憶される。
【００８９】
その後、ＣＰＵ４０は、モデム２３からの割込信号がＡＳＩＣ４１に入力されると（Ｓ２０：ＹＥＳ）、後述する第１割込処理（Ｓ２５、図６参照）を行う。第１割込処理では、ＣＰＵ４０は、ＩＮＴ１（ＰＯＬ）、ＩＮＴ２（ＲＩＮＧ）、ＩＮＴ３のうち、いずれの割込要因であるかを決定し、その特定された割込要因に応じた各種制御を実施する。
【００９０】
ユーザが操作部５５を用いてＦＡＸ送信指示を行った場合（Ｓ３０：ＹＥＳ）、ＣＰＵ４０は、ＦＡＸ送信制御（Ｓ３５）を行う。ＦＡＸ送信制御（Ｓ３５）は、画像読取部５４を用いて原稿を読み取り、電話回線６０を介して繋がっている相手先装置に対して、ＦＡＸ通信部３０を用いて読取画像を送信する制御である。ＣＰＵ４０は、ＦＡＸ送信制御（Ｓ３５）の終了後、ＡＳＩＣ４１の内部回路を用いて計測していた時間をリセットし（Ｓ４０）、Ｓ２０に戻る。
【００９１】
モデム２３からの割込信号の入力が無く（Ｓ２０：ＮＯ）、ＦＡＸ送信指示が無い場合（Ｓ３０：ＮＯ）、Ｓ４５に進む。ＣＰＵ４０は、ＡＳＩＣ４１の内部回路を用いて計測される時間が所定時間Ｔを経過していない場合（Ｓ４５：ＮＯ）、Ｓ２０に戻る。ＣＰＵ４０は、ＡＳＩＣ４１の内部回路を用いて計測される時間が所定時間Ｔを経過している場合（Ｓ４５：ＹＥＳ）、Ｓ５０及びＳ５５に進む。
【００９２】
ＭＦＰ１は、Ｓ５０及びＳ５５の処理を実行することで、ＭＦＰ１の通常モードからＭＦＰ１の省電力モードへ移行する。ＭＦＰ１の省電力モードとは、画像形成部５３、画像読取部５４、表示部５６に対して電源部３４からの電力が供給されず、ＦＡＸ通信部３０が省電力モードであることを意味する。Ｓ５０の処理では、ＣＰＵ４０が、ＦＡＸ通信部３０に対して省電力モードへの移行を指示する。
【００９３】
ＦＡＸ通信部３０のモデム２３は、省電力モード移行指示を受けると、回線電圧計測部１５、呼出信号検出部２２、レジスタ２１を駆動した状態で、受信部１７、送信部１８、閉結制御部１９を停止させる。また、ＦＡＸ通信部３０のモデム２３は、モデム２３自身が駆動するクロック周波数を通常モードのクロック周波数より低下させ、かつ、モデム２３のＣＰＵ２４からの信号のやり取りを遮断する省電力モードに移行する。
【００９４】
Ｓ５５の処理では、ＣＰＵ４０が、電源部３４に対して電源部３４から画像形成部５３、画像読取部５４、表示部５６への電力の供給の停止を指示する。
【００９５】
その後、モデム２３からＡＳＩＣ４１に割込信号が入力されると（Ｓ６０：ＹＥＳ）、後述する第２割込処理（Ｓ６５、図１０）を行う。第２割込処理は、ＣＰＵ４０は、省電力モード時におけるＩＮＴ１（ＰＯＬ）、ＩＮＴ２（ＲＩＮＧ）、ＩＮＴ３のうち、いずれの割込要因であるかを決定し、その特定された割込要因に応じた各種制御を実施するものである。
【００９６】
後述する第２割込処理（Ｓ６５、図１０）では、一旦、ＭＦＰ１の省電力モードからＭＦＰ１の通常モードへ移行する（図１０、Ｓ５９０）。後述する第２割込処理では、ＭＦＰ１が通常モードを維持するか、ＭＦＰ１が通常モードから省電力モードへ移行するかを判断している。そして、後述する第２割込処理では、ＭＦＰ１が通常モードを維持する場合は、フラグ１はオン、ＭＦＰ１が通常モードから省電力モードへ移行する場合は、フラグ１はオフとなる処理を行っている（図１０、Ｓ５９５、Ｓ６５２、Ｓ６６２、Ｓ６３２参照）。
【００９７】
故に、第２割込処理（Ｓ６５）の終了後、ＲＡＭ５２に設けられているフラグ１がオンである場合（Ｓ７０：ＹＥＳ）、ＣＰＵ４０は、Ｓ１５に戻る。
【００９８】
第２割込処理（Ｓ６５）の終了後、ＲＡＭ５２に設けられているフラグ１がオフである場合（Ｓ７０：ＮＯ）、Ｓ５０に戻り、一旦、第２割込処理によってＭＦＰ１の通常モードに移行した状態から再び、ＭＦＰ１の省電力モードへ移行する。
【００９９】
モデム２３からの割込信号の入力が無く（Ｓ６０：ＮＯ）、操作部５５に設けられているオンキーが押されていない場合（Ｓ８０：ＮＯ）、Ｓ６０に戻る。
【０１００】
モデム２３からの割込信号（ＩＮＴ）の入力が無いまま（Ｓ６０：ＮＯ）、オンキーが押された場合（Ｓ８０：ＹＥＳ）、ＣＰＵ４０は、Ｓ１０に戻る。Ｓ１０に戻ることで、ＭＦＰ１は、ＭＦＰ１の省電力モードからＭＦＰ１の通常モードへ移行する。
【０１０１】
＜４．回線電圧記憶処理＞
図４のメインフローチャートのＳ１８で開始される回線電圧記憶処理の流れは、図５に示されている。
【０１０２】
回線電圧記憶処理において、ＣＰＵ４０は、モデム２３に電圧値を応答するように指示する（Ｓ１００）。モデム２３から電圧値の応答があると（Ｓ１０５）、ＣＰＵ４０は、その電圧値を電圧値Ｖ１としてＲＡＭ５２に記憶させる（Ｓ１１０）。
【０１０３】
ＣＰＵ４０がＦＡＸ通信部３０に対して省電力モードへの移行を指示していない場合（Ｓ１１５：ＮＯ）、Ｓ１００に戻る。ＣＰＵ４０は、ＦＡＸ通信部３０に対して省電力モードへの移行を指示している場合（Ｓ１１５：ＹＥＳ）、回線電圧記憶処理を終了する。ＣＰＵ４０は、ＦＡＸ通信部３０に対して省電力モードへの移行を指示しない限り（Ｓ１１５：ＮＯ）、電圧値Ｖ１がＲＡＭ５２に定期的に記憶される。
【０１０４】
＜５．第１割込処理＞
モデム２３からの割込信号がＡＳＩＣ４１に入力されると（図４、Ｓ２０：ＹＥＳ）、ＣＰＵ４０が第１割込処理を行う。第１割込処理について、図６のフローチャートを用いて説明する。
【０１０５】
第１割込処理において、ＣＰＵ４０は、モデム２３にＲＥＡＤコマンドを送信する（Ｓ２００）。すると、モデム２３は、ＲＥＡＤコマンドを受け取ると、レジスタ２５に記憶されているＩＮＴ１（ＰＯＬ）、ＩＮＴ２（ＲＩＮＧ）、ＩＮＴ３のいずれかであることを、ＡＳＩＣ４１に向けて応答する。
【０１０６】
そして、ＣＰＵ４０は、モデム２３からの応答を受け（Ｓ２０５）、モデム２３からの応答がＩＮＴ１（ＰＯＬ）、ＩＮＴ２（ＲＩＮＧ）、ＩＮＴ３のいずれかであるかを決定する（Ｓ２１０、Ｓ２４０：割込要因決定処理の一例）。
【０１０７】
ＣＰＵ４０は、モデム２３からの応答がＩＮＴ１（ＰＯＬ）であった場合には（Ｓ２１０：ＹＥＳ）、ＣＰＵ４０は、後述する発信者番号通知処理（Ｓ２１５）を行う。
【０１０８】
発信者番号通知処理の終了後、ＲＡＭ５２に設けられている完了フラグがオンである場合（Ｓ２２０：ＹＥＳ）、ＣＰＵ４０は、ＦＡＸ受信制御（Ｓ２２５）を行う。ＦＡＸ受信制御は、電話回線６０を介して繋がっている相手先装置からＦＡＸ画像データ等の各種ＦＡＸ信号を受信する制御である。
【０１０９】
ＣＰＵ４０は、ＦＡＸ受信制御（Ｓ２２５）を行った後、ＡＳＩＣ４１の内部回路を用いて計測していた時間をリセットし（Ｓ２３０）、第１割込処理を終了する。
【０１１０】
なお、この完了フラグは、割込要因の基づく通信手順が完了した場合にオンとなるフラグである。
【０１１１】
ＩＮＴ１（ＰＯＬ）であった場合（Ｓ２１０：ＹＥＳ）に、受信部１７が発信者番号通知信号を受信し、呼出信号検出部２２が呼出信号を受信するという、回線電圧の極性反転を示す割込要因の基づく通信手順が完了したことを示すものである。
【０１１２】
一方、発信者番号通知処理の終了後、完了フラグがオフである場合、すなわち未完了フラグがオンである場合（Ｓ２２０：ＮＯ）、ＣＰＵ４０は、後述する保護確認処理（Ｓ２３５）を行い、第１割込処理を終了する。
【０１１３】
ＣＰＵ４０は、モデム２３からの応答がＩＮＴ２（ＲＩＮＧ）であった場合（Ｓ２４０：ＹＥＳ）、ＣＰＵ４０は、ＦＡＸ受信制御（Ｓ２４５）を行った後、ＡＳＩＣ４１の内部回路を用いて計測していた時間をリセットし（Ｓ２３０）、第１割込処理を終了する。
【０１１４】
モデム２３からの応答がＩＮＴ１（ＰＯＬ）およびＩＮＴ２（ＲＩＮＧ）でない場合、つまりＩＮＴ３であった場合（Ｓ２４０：ＮＯ）、ＣＰＵ４０は、後述する電圧変動検知処理（Ｓ２５５）を行う。
【０１１５】
電圧変動検知処理の終了後、完了フラグがオンである場合（Ｓ２６０：ＹＥＳ）、ＣＰＵ４０は、ＡＳＩＣ４１の内部回路を用いて計測していた時間をリセットし（Ｓ２６５）、第１割込処理を終了する。
【０１１６】
電圧変動検知処理の終了後、完了フラグがオフである場合（Ｓ２６０：ＮＯ）、ＣＰＵ４０は、後述する保護確認処理（Ｓ２７０）を行い、第１割込処理を終了する。
【０１１７】
＜６．発信者番号通知処理＞
図６に示される第１割込処理のＳ２１５で行われる発信者番号通知処理の流れは、図７に示されている。
【０１１８】
ＩＮＴ１（ＰＯＬ）であった場合（Ｓ２１０：ＹＥＳ）は、回線電圧の極性反転を示す割込要因である。回線電圧の極性反転を示す割込要因の場合、ＭＦＰ１は、ナンバーディスプレイサービスの手順を実施する必要がある。
【０１１９】
一般的なナンバーディスプレイサービスの手順は、次のような手順に従っている。まず、電話回線６０を介して接続される交換機は、一対の通電経路Ｌａ，Ｌｂ間にかかる電圧の極性を反転させることで、ＭＦＰ１に対して、これから発信者番号通知信号（いわゆる、ナンバーディスプレイ情報）を送信することを伝える。
【０１２０】
すると、ＭＦＰ１は、一対の通電経路Ｌａ，Ｌｂ間を閉結し、交換機との間で閉回路を作ることによって受信部１７が発信者番号通知信号を受信することができるようになる。
【０１２１】
そして、ＭＦＰ１は、受信部１７が発信者番号通知信号を受信すると、再び、一対の通電経路Ｌａ，Ｌｂ間を開放し、呼出信号検出部２２が呼出信号を検出すると、ナンバーディスプレイサービスの手順が完了し、次に、一連のＦＡＸ受信制御が行われる。
【０１２２】
図７のフローチャートでは、電話回線６０を介して接続される交換機から発信者番号通知信号を受信できるように、ＣＰＵ４０は、モデム２３に対して、ＤＡＡ１３の閉結制御部１９に閉結を指示する（Ｓ３００）。すると、モデム２３は、トランス１４を介して閉結制御部１９に閉結を指示する。すると、閉結制御部１９は、閉結の指示を受けて、ＤＣループ２０内のスイッチをオンし、ＤＣループ２０と電話回線６０を介して接続される交換機との間で閉回路を形成する。
【０１２３】
その後、モデム２３がＤＡＡ１３の受信部１７を介して相手先装置から発信者番号通知信号を受信した場合（Ｓ３０５：ＹＥＳ）、ＣＰＵ４０は、モデム２３が閉結制御部１９に開放を指示するよう、モデム２３に対して指示する（Ｓ３１０）。モデム２３がトランス１４を介して閉結制御部１９に開放を指示すると、閉結制御部１９は、開放の指示を受けて、ＤＣループ２０内のスイッチをオフし、ＤＣループ２０と交換機との間に形成されている閉回路を開放する。すると、呼出信号検出部２２が呼出信号を受信可能な状態となる。
【０１２４】
そして、ＣＰＵ４０は、ＤＡＡ１３の呼出信号検出部２２が呼出信号を検出すると（Ｓ３１５：ＹＥＳ）、完了フラグをオン（Ｓ３２０）にし、発信者番号通知処理を終了する。この完了フラグは、ＩＮＴ１（ＰＯＬ）であった場合（Ｓ２１０：ＹＥＳ）に、受信部１７が発信者番号通知信号を受信し、呼出信号検出部２２が呼出信号を受信するという、回線電圧の極性反転を示す割込要因の基づく通信手順が完了したことを示す。
【０１２５】
一方、モデム２３が相手先装置からの発信者番号を受信せずに（Ｓ３０５：ＮＯ）、ＣＰＵ４０が閉結制御部１９に閉結を指示してから第１所定時間が経過した場合（Ｓ３２５：ＹＥＳ）、ＣＰＵ４０は、閉結制御部１９に開放を指示する（Ｓ３３０）。
【０１２６】
閉結制御部１９に開放を指示した後、ＤＡＡ１３の呼出信号検出部２２が呼出信号を受信すると（Ｓ３１５：ＹＥＳ）、ＣＰＵ４０は、完了フラグをオンにし（Ｓ３２０）、発信者番号通知処理を終了する。
【０１２７】
ＭＦＰ１がナンバーディスプレイに加入していない場合、交換機は、発信者番号通知信号を送信せず、呼出信号を送信する場合もある。故に、呼出信号検出部２２が呼出信号を検出した場合は、完了フラグをオン（Ｓ３２０）にし、回線電圧の極性反転を示す割込要因の基づく通信手順が完了したことを示す。
【０１２８】
ＣＰＵ４０がモデム２３に対して閉結制御部１９に開放を指示するよう指示した後、呼出信号検出部２２が呼出信号を検出せずに（Ｓ３３５：ＮＯ）、ＣＰＵ４０が閉結制御部１９に開放を指示してから第２所定時間が経過した場合（Ｓ３４０：ＹＥＳ）、ＣＰＵ４０は、ＲＡＭ５２に設けられている未完了フラグをオンにして（Ｓ３４５）、発信者番号通知処理を終了する。未完了フラグは、呼出信号検出部２２が呼出信号を検出しない場合にオンされるフラグである。
【０１２９】
以上の処理によって、発信者番号通知処理を終了する。
【０１３０】
＜７．電圧変動検知処理＞
図６に示される第１割込処理のＳ２５５で行われる電圧変動検知処理の流れは、図８に示されている。
【０１３１】
ＩＮＴ３であった場合（Ｓ２４０：ＮＯ）は、まず、電圧変動検知処理において、ＣＰＵ４０は、ＲＡＭ５２から図５に示される回線電圧記憶処理のＳ１１０で記憶された電圧値Ｖ１を読み出す（Ｓ４００）。
【０１３２】
また、ＣＰＵ４０は、モデム２３に電圧値を応答するように指示する（Ｓ４０５）。モデム２３から電圧値の応答があると（Ｓ４１０）、ＣＰＵ４０は、その電圧値を電圧値Ｖ２とする。
【０１３３】
そして、電圧値Ｖ２が０である場合（Ｓ４１５：ＹＥＳ）、回線接続端子１１ａ、１１ｂから電話回線６０が引き抜かれた場合であるので、ＣＰＵ４０は、表示部５６に電話回線６０が抜かれた旨を表示させる（Ｓ４２０）。
【０１３４】
表示後、ＣＰＵ４０は、完了フラグをオンにして（Ｓ４２５）、電圧変動検知処理を終了する。
【０１３５】
一方、電圧値Ｖ２が０ではなく（Ｓ４１５：ＮＯ）、電圧値Ｖ２が電圧値Ｖ１の５０％以上であった場合（Ｓ４３０：ＮＯ）、未完了フラグをオンにして（Ｓ４４０）、電圧変動検知処理を終了する。  電圧値Ｖ２が電圧値Ｖ１の５０％未満であった場合（Ｓ４３０：ＹＥＳ）、外付電話がフックアップされた場合の電圧降下であるため、ＣＰＵ４０は、表示部５６に外付電話６１が使用中である旨を表示させる（Ｓ４４５）。
【０１３６】
表示後、ＣＰＵ４０は、完了フラグをオンにして（Ｓ４５０）、電圧変動検知処理を終了する。
【０１３７】
電圧値Ｖ２が０である場合は、回線接続端子１１ａ、１１ｂから電話回線６０が引き抜かれた場合であるため、表示部５６に電話回線６０が抜かれた旨を表示させる（Ｓ４２０）ことで、ＩＮＴ３であった場合に対応した処理を完了することができる。そして、完了フラグをオンにする（Ｓ４２５）。
【０１３８】
また、電圧値Ｖ２が電圧値Ｖ１の５０％未満であった場合（Ｓ４３０：ＹＥＳ）、外付電話がフックアップされた場合の電圧降下であるため、ＣＰＵ４０は、表示部５６に外付電話６１が使用中である旨を表示させる（Ｓ４４５）。そして、完了フラグをオンにする（Ｓ４５０）。
【０１３９】
しかし、電圧値Ｖ２が０ではなく（Ｓ４１５：ＮＯ）、電圧値Ｖ２が電圧値Ｖ１の５０％以上であった場合（Ｓ４３０：ＮＯ）、どういった原因に基づいてＩＮＴ３となったのかわからず、ＩＮＴ３
に対応した処理を完了することができないため、未完了フラグをオンにする（Ｓ４４０）。
【０１４０】
＜８．保護確認処理＞
図６に示される第１割込処理のＳ２３５，Ｓ２７０で行われる保護確認処理の流れは、図９に示されている。この処理は、いずれも未完了フラグがオンになっている場合に行われる処理である。
【０１４１】
ＩＮＴ１（ＰＯＬ）であったにもかかわらず（Ｓ２１０：ＹＥＳ）、少なくとも受信部１７が発信者番号通知信号を受信もしなければ、又は、呼出信号検出部２２が呼出信号を受信もしない場合、ＩＮＴ１（ＰＯＬ）が、回線電圧の極性反転を示す割込要因でない他の要因による可能性がある。
【０１４２】
また、ＩＮＴ３であったにもかかわらず（Ｓ２４０：ＮＯ）、電圧値Ｖ２が０ではなく（Ｓ４１５：ＮＯ）、電圧値Ｖ２が電圧値Ｖ１の５０％以上であった場合（Ｓ４３０：ＮＯ）、どういった原因に基づいてＩＮＴ３となったのかわからず、ＩＮＴ３で想定される要因以外の他の要因による可能性がある。
【０１４３】
故に、他の要因による割込の場合が雷サージによって、モデム２３がＩＮＴ１（ＰＯＬ）、ＩＮＴ３をレジスタ２５に書き込んだ恐れがある。
【０１４４】
保護確認処理において、ＣＰＵ４０は、モデム２３に対してＤＡＡ１３の保護部１６の状況を応答するように指示する（Ｓ５００）。
【０１４５】
モデム２３から保護部１６の状況の応答があり（Ｓ５０５）、その応答が通電経路Ｌａ，Ｌｂ（接点Ｎ３，Ｎ４）と呼出信号検出部２２との非接続を表す場合（Ｓ５１０：ＹＥＳ）、ＣＰＵ４０は、モデム２３に対して保護部１６による接続及びＤＡＡ１３の回線電圧計測部１５のリセットを指示し（Ｓ５１５）、保護確認処理を終了する。
【０１４６】
一方、モデム２３から保護部１６の状況の応答があり（Ｓ５０５）、その応答が通電経路Ｌａ，Ｌｂ（接点Ｎ３，Ｎ４）と呼出信号検出部２２との接続を表す場合（Ｓ５１０：ＮＯ）、ＣＰＵ４０は、モデム２３に対してＤＡＡ１３の回線電圧計測部１５のリセットを指示せず（Ｓ５１５：スキップ）、保護確認処理を終了する。
【０１４７】
雷サージによる電圧変動は瞬間的なものであるため、回線電圧計測部１５がフリーズしていなければ、モデム２３は一時的に保護部１６に保護を指示したとしてもすぐに保護を解除する。
【０１４８】
しかし、一旦、回線電圧計測部１５がフリーズすると、保護部１６が保護した状態が維持されつづけることになる。発信者番号通知処理又は電圧変動検知処理を経てもなお、保護部１６が保護した状態であるというのは、回線電圧計測部１５がフリーズした状態であると考えられる。そこで、ＣＰＵ４０は、保護確認処理（図９）を実行して、モデム２３に対してＤＡＡ１３の保護部１６の接続及び回線電圧計測部１５のリセットを指示することで、適切なタイミングで保護部１６の保護の解除と回線電圧計測部１５のリセットを行うことができる。
【０１４９】
＜９．第２割込処理＞
図４に示されるメインフローチャートのＳ６５で行われる第２割込処理の流れは、図１０に示されている。
【０１５０】
第２割込処理において、ＣＰＵ４０は、まず、電源部３４に対して電源部３４から画像形成部５３、画像読取部５４、表示部５６への電力の供給を指示する（Ｓ５９０）。ＦＡＸ通信部３０は、割込入力（Ｓ５６０：ＹＥＳ）によって自動的に通常モードに移行するため、ＭＦＰ１は、Ｓ５９０においてＭＦＰ１の省電力モードから、一旦、ＭＦＰ１の通常モードへ移行する。
【０１５１】
次に、ＣＰＵ４０は、フラグ１をオフにする（Ｓ５９５）。また、ＣＰＵ４０は、モデム２３のレジスタ２５にＲＥＡＤコマンドを送信する（Ｓ６００）。
【０１５２】
ＲＥＡＤコマンドの送信に対してモデム２３から応答があり（Ｓ６０５）、その応答がＩＮＴ１（ＰＯＬ）であった場合には（Ｓ６１０：ＹＥＳ）、ＣＰＵ４０は、前述の発信者番号通知処理（Ｓ６１５）を行う。
【０１５３】
発信者番号通知処理の終了後、ＲＡＭ５２に設けられている完了フラグがオンである場合（Ｓ６２０：ＹＥＳ）、ＣＰＵ４０は、ＦＡＸ受信制御（Ｓ６２５）を行う。
【０１５４】
ＣＰＵ４０は、ＦＡＸ受信制御（Ｓ６２５）を行った後、ＡＳＩＣ４１の内部回路を用いて計測していた時間をリセットする（Ｓ６３０）。
【０１５５】
そして、ＣＰＵ４０は、ＭＦＰ１の通常モードを維持する為に、フラグ１をオンにして（Ｓ６３２）、第２割込処理を終了する。
【０１５６】
一方、発信者番号通知処理の終了後、完了フラグがオフである場合（Ｓ６２５：ＮＯ）、ＣＰＵ４０は、前述の保護確認処理（Ｓ６３５）を行い、フラグ１をオフに維持した状態で第２割込処理を終了する。そして、第２割込処理終了後、図４のＳ５５、Ｓ５０によって、ＭＦＰ１の通常モードからＭＦＰ１の省電力モードに戻る。
【０１５７】
モデム２３からの応答がＩＮＴ２（ＲＩＮＧ）であった場合（Ｓ６４０：ＹＥＳ）、ＣＰＵ４０は、ＦＡＸ受信制御（Ｓ６４５）を行った後、ＡＳＩＣ４１の内部回路を用いて計測していた時間をリセットする（Ｓ６５０）。
【０１５８】
そして、ＣＰＵ４０は、ＭＦＰ１の通常モードを維持する為に、フラグ１をオンにして（Ｓ６５２）、第２割込処理を終了する。モデム２３からの応答がＩＮＴ１（ＰＯＬ）およびＩＮＴ２（ＲＩＮＧ）でない場合、つまりＩＮＴ３であった場合（Ｓ６４０：ＮＯ）、ＣＰＵ４０は、前述の電圧変動検知処理（Ｓ６５５）を行う。
【０１５９】
電圧変動検知処理の終了後、完了フラグがオンである場合（Ｓ６６０：ＹＥＳ）、ＣＰＵ４０は、ＭＦＰ１の通常モードを維持する為に、フラグ１をオンにして（Ｓ６６２）、第２割込処理を終了する。
【０１６０】
電圧変動検知処理の終了後、完了フラグがオフである場合（Ｓ６６０：ＮＯ）、ＣＰＵ４０は、前述の保護確認処理（Ｓ６７０）を行い、フラグ１をオフに維持した状態で第２割込処理を終了する。
【０１６１】
＜１０．作用効果＞
以上のように、モデム２３は、レジスタ２１に書き込まれた電圧値が極性反転、又は、読み取った前後の電圧値の差が所定値以上、及び、呼出信号の検出の際、割込信号をＡＳＩＣ４１のＣＰＵ４０に送信する。雷サージが回線接続端子１１に入力された場合における回線電圧計測部１５が計測する電圧値は、電圧値の大きな変動であるため、雷サージが入力されない通常時の電圧値の極性反転や電圧値の差が所定以上になることと区別がつかない。
【０１６２】
ＡＳＩＣ４１のＣＰＵ４０は、電圧値が極性反転、読み取った前後の電圧値の差が所定値以上、又は、呼出信号の検出のいずれの割込要因なのかを決定し、その決定した割込要因に従ってＦＡＸ通信部３０の処理を実行させる。そのＦＡＸ通信部３０の処理がなんらかの原因で未完了となった場合、割込要因が通常時の電圧値の極性反転や電圧値の差ではなく、雷サージの入力による電圧変動である可能性がある。そこで、ＣＰＵ４０は、保護確認処理を実行し、モデム２３に対して保護部１６に非接続を指示しているか否かについて回答するように指示する。
【０１６３】
雷サージによる電圧変動は瞬間的なものであるため、回線電圧計測部１５がフリーズしていなければ、モデム２３は一時的に保護部１６に保護を指示したとしてもすぐに保護を解除する。
【０１６４】
しかし、一旦、回線電圧計測部１５がフリーズすると、保護部１６が保護した状態が維持されつづけることになる。発信者番号通知処理又は電圧変動検知処理を経てもなお、保護部１６が保護した状態であるというのは、回線電圧計測部１５がフリーズした状態であると考えられる。そこで、ＣＰＵ４０は、保護確認処理を実行して、モデム２３に対してＤＡＡ１３の保護部１６の接続及び回線電圧計測部１５のリセットを指示することで、適切なタイミングで保護部１６の保護の解除と回線電圧計測部１５のリセットを行うことができる。
【０１６５】
電話回線６０を介して接続される交換機は、一対の通電経路Ｌａ，Ｌｂ間にかかる電圧の極性を反転させることで、ＭＦＰ１に対して、これから発信者番号通知信号（いわゆる、ナンバーディスプレイ情報）を送信することを伝える。
【０１６６】
すると、ＭＦＰ１は、一対の通電経路Ｌａ，Ｌｂ間を閉結し、交換機との間で閉回路を作ることによって発信者番号通知信号を受信することができるようになる。
【０１６７】
ところが、雷サージが回線接続端子１１に入力された場合にも、電圧の極性が反転することがある。
【０１６８】
そこで、閉結後に発信者番号通知信号を第１所定時間経過したとしても受信しない場合、交換機による電圧の極性反転ではなく雷サージが回線接続端子１１に入力された場合が考えられるため、ＡＳＩＣ４１のＣＰＵ４０は、モデム２３に対して保護部１６に非接続を指示しているか否かについて回答するように指示する。
【０１６９】
ＭＦＰ１がナンバーディスプレイに加入していない場合、相手先装置がナンバーディスプレイサービスで発信したとしても、交換機が発信者番号通知信号を送信せず、呼出信号を送信する。故に、モデム２３が第１所定時間を経過しても発信者番号通知信号を受信せず、かつ、第１所定時間経過後、閉結制御部１９に開放が指示され、呼出信号が検出されない場合、雷サージが回線接続端子１１に入力された可能性がある。そのため、ＡＳＩＣ４１のＣＰＵ４０は、保護確認処理を実行して、モデム２３に対して保護部１６に非接続を指示しているか否かについて回答するように指示する。
【０１７０】
割込要因が読み取った前後の電圧値の差が所定値以上と決定された場合であっても、それがＭＦＰ１の制御によって生じた電圧差なのか、それとも雷サージの入力による電圧差なのか見分けがつかない。
【０１７１】
故に、回線電圧記憶処理によってＲＡＭ５２に記憶された電圧値から、ＲＡＭ５２に記憶された割込信号入力後の電圧値が、ＲＡＭ５２に記憶された割込信号入力前の電圧値に対する所定割合の値以上であった場合、ＭＦＰ１の制御によって生じた電圧差ではないため、雷サージによる可能性がある。ＡＳＩＣ４１のＣＰＵ４０は、保護確認処理を実行して、モデム２３に対して保護部１６に非接続を指示しているか否かについて回答するように指示する。
【０１７２】
外付電話６１のフックアップによって、一対の通電経路Ｌａ，Ｌｂにかかる回線電圧から外付電話６１のオフフックに伴う電圧降下分の値が生じることがある。その場合、単に読み取った前後の電圧値の差が所定値以上だけでは、外付電話６１のフックアップによるものか、雷サージによる電圧変動なのかを特定することはできない。
【０１７３】
そこで、読み取った前後の電圧値の差が所定値未満と決定された場合は、外付電話６１のフックアップであると特定される。この場合、表示部５６に外付電話６１の使用中である旨の情報を表示させることができる。
【０１７４】
一方、読み取った前後の電圧値の差が所定値以上の場合は、雷サージの可能性があるとして、ＡＳＩＣ４１のＣＰＵ４０は、モデム２３に対して保護部１６に非接続を指示しているか否かについて回答するように指示することができる。
【０１７５】
ＦＡＸ通信部３０は、割込要因を特定した際にＡＳＩＣ４１のＣＰＵ４０に割込信号を出力する機能は維持するが、モデム２３とＡＳＩＣ４１のＣＰＵ４０との信号のやり取りを不能にする省電力モードを有する。
【０１７６】
省電力モードでは、ＡＳＩＣ４１のＣＰＵ４０は、モデム２３にアクセスできないようにすることで、モデム２３を有するＦＡＸ通信部３０の消費電力を下げるようにしている。
【０１７７】
従来のように、定期的にＦＡＸ通信部３０にコマンドを出力する方法であると、省電力モードに移行したモデム２３に対してＡＳＩＣ４１のＣＰＵ４０はアクセスすることができないので、モデム２３の省電力モードを解除してからＡＳＩＣ４１のＣＰＵ４０がモデム２３にアクセスするようにしていた。
【０１７８】
その場合、定期的にＦＡＸ通信部３０を省電力モードから解除する必要があり省電力の効果があまり得られなかった。しかし、割込信号の入力に応じてスリープモードから通常モードへ切り替え、割込要因決定処理を行うことで、頻繁に省電力モードを解除する必要がなく、割込信号が入力されたときだけＦＡＸ通信部３０が省電力モードから解除されるので省電力の効果が高くすることができる。
【０１７９】
雷サージが入力された場合は、通常モードに復帰する必要がないため、再び、スリープモードに戻すことで省電力効果を得ることができる。
【０１８０】
＜１１．第２実施形態＞
図１１は、本発明の第２実施形態に係るＭＦＰ１の構成（ＦＡＸ通信部３０の具体的構成）を示すブロック図である。図１１において、図２に示される各部に相当する部分には、それらの各部と同一の参照符号が付されている。また、以下では、その同一の参照符号が付された部分の説明を省略する。
【０１８１】
図１１に示されるＭＦＰ１では、フォトダイオード２６（光検知部の一例）がガスアレスタからなるサージ保護素子Ｚ１に面して設けられている。雷サージが回線接続端子１１を介して入力されると、ガスアレスタに充填されているガスが絶縁破壊を起こして短絡することで、雷サージが大地に流れる。その際、ガスアレスタに充填されているガスが発光し、その発光されたガスをフォトダイオード２６が検知する。フォトダイオード２６は、光を検知すると、ＡＳＩＣ４１に割込信号を出力する。
【０１８２】
ＡＳＩＣ４１のＣＰＵ４０は、フォトダイオード２６からの割込信号の入力から、雷サージが入力される所要時間経過後になっても保護部１６が保護している場合、その保護を解除する必要がある。そこで、ＣＰＵ４０は、保護部１６が非接続である場合、モデム２３に対して保護部１６に接続するように指示、及び、回線電圧計測部１５に対するリセットの指示を行うことで、適切なタイミングで保護部１６の保護の解除及び回線電圧計測部１５のリセットを行うことができる。
【０１８３】
＜１２．変形例＞
以上、本発明の実施の形態について説明したが、本発明は、更に他の形態で実施することも可能である。
【０１８４】
本発明の実施の形態では、（イ）図２のようにサージ保護素子Ｚ１、サージ保護素子Ｚ２を設ける場合について説明したが、（ロ）グランドＧＮＤと通電経路Ｌａとの間、グランドＧＮＤと通電経路Ｌｂとの間、にそれぞれサージ保護素子Ｚ１を設けた場合であってもよい。（ロ）の場合は、回線接続端子１１ＡとＤＡＡ１３との間の通電経路Ｌａ上の接点Ｎ７と回線接続端子１１ＢとＤＡＡ１３との間の通電経路Ｌｂ上の接点Ｎ８との間に設けられるサージ保護素子Ｚ２を、横サージ対策として更に設けても良い。
【０１８５】
また、ＡＳＩＣ４１が複数のＣＰＵを備え、複数のＣＰＵが協働して各処理を実行してもよい。
【０１８６】
その他、特許請求の範囲に記載された事項の範囲で種々の設計変更を施すことが可能である。
【符号の説明】
【０１８７】
１  ＭＦＰ、１１  回線接続端子、１２  外付電話接続端子、
１３  データアクセスアレンジメント、１５  回線電圧計測部、１６  保護部、
１７  受信部、１９  閉結制御部、２１  レジスタ、２２  呼出信号検出部、
２３  モデム、２６  フォトダイオード、３０  ＦＡＸ通信部、３４  電源部、
４１  ＡＳＩＣ、５２  ＲＡＭ、５３  画像形成部、５４  画像読取部、
５６  表示部、６０  電話回線、６１  外付電話、
Ｚ１  サージ保護素子、Ｚ２  サージ保護素子
【図１】
2017216571.tif 000003
【図２】
2017216571.tif 000004
【図３】
2017216571.tif 000005
【図４】
2017216571.tif 000006
【図５】
2017216571.tif 000007
【図６】
2017216571.tif 000008
【図７】
2017216571.tif 000009
【図８】
2017216571.tif 000010
【図９】
2017216571.tif 000011
【図１０】
2017216571.tif 000012
【図１１】
2017216571.tif 000013